(57)【要約】      （修正有）【課題】パターが滑り落ちない最小のグリップ力で握った場合の最適なグリップ形状とライ角を求める。またパッティング方向にヘッド面を合わせ易くするため、ヘッド中央にボール間際からヘッド形状内で最長のラインが引ける様にする。【解決手段】振り子式パッティングに最適なライ角７６〜７７°とグリップ形状を持ったパターのヘッドは、同一平面内にスイング方向を頭にしたＴ字形状を有して、ヘッド中央に打面間際からラインを設ける。Ｔ字足部の側面段差を利用して鋼球を内臓した傾きセンサーを装着、スイング中に鋼球がセンサーの中央付近で静止する様に練習する。また、体格の個人差解消のためヘッド重量調整用錘も同様の方法でヘッドに装着できる様にした。【選択図】図４
0003123942.tif 000002
【実用新案登録請求の範囲】
【請求項１】
パターヘッド上面の同一平面内でパッティング方向を頭にＴ字形状を有し、前記形状の後方部位は前記ヘッドの中心線上にあって前記ヘッド底面に薄肉で結合し、その肉厚は前記Ｔ字形後方部位の横幅よりも薄くしたパターヘッドを特徴とする距離計測機能付パター。
【請求項２】
パターヘッド上面のＴ字形中心部には直線状の浅い溝を設けて有色塗装し、その溝上に直線状の傾きセンサーを配置して、前記Ｔ字形後方部位の両側面に設けた段差を使って前記センサーを固定する事を特徴とした請求項１記載の距離計測機能付パター。
【請求項３】
直線状の傾きセンサーは透明プラスチック材で作られた直線円筒形状に小さな鋼球を入れ、筒の両端にはダンパー部材を持ったプラスチック製栓で密閉状態にして、且つ各栓には１対のフックがあって、前記Ｔ字形後方部位の両側面に設けた段差を使い、前記センサーをパターヘッド中央部に固定できる事を特徴とした請求項２記載の距離計測機能付パター。
【請求項４】
比重の大きい銅もしくは鉛の合金を薄板上に成形し、両端をプラスチック製ホルダーで固定した錘を、前記ホルダーに具備した１対のフックで、前記Ｔ字形後方部位の両側面に設けた段差を使って、パターヘッド中央部に固定できることを特徴とした請求項１記載の距離計測機能付パター。
【請求項５】
目盛りを付けるエリアをフラット面にしたグリップ形状は、グリップ終端に向かって太くなるテーパを基調としながらも、初はヘッド打面に平行な縦長楕円断面を基調にして、途中円断面基調に変化した後の後半は横長楕円断面基調になって、しかも前記円断面基調付近でクリップ軸を数度前記後半の楕円短径方向に曲げたことを特徴とする請求項１記載の距離計測機能付パター。
【考案の詳細な説明】
【技術分野】
【０００１】        本考案はゴルフのパッティングの際に、カップまでの距離とそれに適したパターのテークバック量が読取れるパターにおいて、振り子式スイングの練習と実践を兼ねた距離計測機能付パターを提供するものである。
【背景技術】
【０００２】        特願２００５−５０４５０４で記載されている様にカップまでの距離計測と、カップまで転がすに必要なテークバック量が読取れる状況にあって、パッティング方向の読みと振り子式スイングの実践がポイントになる。
パッティング方向はグリーン傾斜方向と芝目の影響度を加味してボールが転がる軌跡をイメージ、その軌跡の始点における接線方向を見定める。
パッティングの力は振り子式テークバック量で決まるが、それに適したスイング方法は下記特願に述ている。即ちパターを軽く握って手の圧力感覚を鋭敏にさせ、パターの自重落下運動を手、腕、肩で作る五角形を崩さずに追従させ、首付け根中心の回転運動に変換することである。
特願２００４−３８２２３６
特願２００５−１８８９０８
【考案の開示】
【考案が解決しようとする課題】
【０００３】        肩、腕とパターで構成する振り子の回転中心軸を滑らかに動かすには、両肩を軽く吊上げて腕や手に必要以上の力を入れないことである。しかし従来のパターではグリップ力を緩くするとヘッドの重みで前下がりとなって、ライ角が合わないのが通例であった。
またパッティングの方向を見定めてヘッドをその方向に合わせようするにも、従来のパターはヘッド上面に設けたラインが短かったり、或るいはボールから離れた所にあって、視覚的に合わせずらい面があった。
更には振り子式スイングの練習をする場合、最適なスイングの目安となるものが無く、一般はメトロノームのリズム音に合わせてスイングの練習をしていた。しかしプレー当日のパッティング練習場ではリズム音を鳴らす訳にはいかない問題もあった。
【課題を解決するための手段】
【０００４】        本考案は前記課題を解決する為のもので、パターが滑り落ちない最小のグリップ力で握った場合の最適なグリップ形状とライ角を求める。またパッティング方向にヘッド面を合わせ易くするため、ヘッド中央にボール間際からヘッド形状内で最長のラインが引ける様にする。
また振り子式スイングを正しく身につけるため、直線状の傾きセンサーをヘッド中央に取り付け、センサーの中にある鋼球が自由に動けるフリーエリア中央域で静止する様なスイングを練習する。このセンサーはプレー本番では使えないため着脱構造にする。
【考案の効果】
【０００５】        ライ角が大きいことは、パター、腕、肩を一体にした振り子のスイング面が従来よりも立っている事を意味しており、俗に言う引っ掛けが少なくなって安定したパッティングが出来る。また普段から振り子式スイングの良否を上記傾きセンサーでチェックができるため、目標距離の打ち別けが容易となる。
本願のパターが持つ距離計測機能で推奨テークバック量が簡単に読取れる為、実践ではボールの転がり軌跡のシミュレーションに集中でき、ゴルフ初心者でも僅かな練習期間で急速に上達できる効果がある。
【考案を実施するための最良の形態】
【実施例１】
【０００６】        図１は本考案のパターの概観図である。ヘッド寸法はパッティング幅約１０５ｍｍ、奥行約５０ｍｍ、ヘッド厚約２６ｍｍ、ロフト角約４°、パター全長約８６０ｍｍ、グリップ全長約３７０ｍｍ、総重量約５４０ｇ、重心点はヘッド下面から約２３０ｍｍ付近にある。
図２はパターヘッドを上から見た概観図を示す。ヘッド上面にパッティング方向を頭にしたＴ字形２を設け、その中心線上にライン溝３を設けている。上シャフト４はヘッド１のセンターから約２６ｍｍ離れた図中Ｂ点から立げて高さ約９５ｍｍのＣ点、シャフト中心がパッティング面５から約シャフトの半経分離れた所からライ角６を７６〜７７度になる様に曲げ（参照  図２）、シャフト全長はグリップフ部を入れて約８３５ｍｍにする。【０００７】        図３はグリップ７の断面変化を示す。グリップ形状はテーパを基調に全長約３７０ｍｍと長くとって帯状の平坦な目盛りエリア８を有し、グリップ終端手前約１３０ｍｍでグリップ軸を約８°下方へ曲げて両手で持ちやすくしている。
グリップは初め縦方向に長径約２２ｍｍ（短径約１６ｍｍ）となる楕円形状をしており、徐々に太くなってグリップ軸曲げ位置付近は直径２８ｍｍの円形断面になる。以後グリップ終端に向かって徐々に横長の楕円断面を大きくして、終端の楕円は長径約３９ｍｍ（短径約３１ｍｍ）にする。
グリップ７につける距離計測用目盛り８やグリップ終端部の基準線は下記実願に詳しく記載しているのでここでは省略する。
実願２００６−２０５１  「距離計測機能付パターのグリップ」【０００８】        図４はパターヘッドのＡ−Ａ’断面図を示すと共に例えば傾きセンサー等を取り付ける方法を示している。
先ずシャフト４をヘッド１に固定する位置Ｂ点と、途中からライ角６を取るための曲げ位置Ｃ点との関係は、シャフト４の延長線がボールと接触する打球面中央ポイントＤと交差する必要から、図中ヘッド厚みをｈとすると
ＬＣ＋ｈ／２＝ＬＢｔａｎθ          θ：ライ角  ７６〜７７°
次にＴ字形の断面形状であるが、ヘッド底面９に対し肉厚ｔで結合されており、この肉厚は先のＴ字足部の横幅ｗより薄い。
パターヘッドに装着する傾きセンサー１０の両端には１対のフック１１が付いており、このフック１１で先のＴ字形足部に差込み固定する。【０００９】        図５は傾きセンサー１０の構造を示す。透明のプラスチック製円筒１２に鋼球１３を入れて自由に転がるようにして、左右からダンパー１４（もしくは円錐型スプリング）を付けた栓１５で密閉状態にする。この栓１５には１対のフック１１がついており、このフック１１を先のヘッド１に設けたＴ字形状の足部に差込んでセンサー本体を固定する。
【実施例２】
【００１０】        振り子式パッティングの特徴はグリップの力を最小にしてパターの落下運動を手のひらで敏感に感じ取る事にある。しかし手のひらの感度には個人差があるため、パターヘッド１を重くして動きを感じやすくする方法がある。但し重過ぎると肩に負担が掛かり、首付け根を支点にした両肩のシーソー運動が萎縮し、ヘッドスピードが落ちてしまう弊害が出てくる。従って個人の体格に合ったヘッド重量を見付けた方が良い。【００１１】        図４はパターヘッド１を重くするための着脱可能な構造を持った錘１６を示す。銅もしくは鉛の合金１７を平板に成形し、長手方向の両端には幅方向にスリット１８を設けている。プラスチック製錘ホルダー１９のバネ特性を持った爪２０を挿入して合金１７と錘ホルダー１９を合体させる。この錘ホルダー１９は錘本体１６の両端に装着し、傾きセンサー１０と同様にフック１１でパターヘッド１に固定する。そして合金は厚みｄを変える事で数種類の重さを用意しておき、最適な錘１６を選択するのである。
【図面の簡単な説明】
【００１２】
【図１】距離計測機能付パターの概観図
【図２】距離計測機能付パターのヘッドを上から見た概観図
【図３】距離計測機能付パターのグリップ形状を示す概観図  テーパをベースに最初は縦方向の楕円断面形状、途中円形断面になってグリップ軸が約８°曲がると、それ以降は横長の楕円断面形状に変化
【図４】パターヘッドのＡ−Ａ断面図  シャフトとヘッドの位置関係を示す。またスイングチェックの為の傾きセンサーを装着する方法も同時に示している。
【図５】振り子式スイングをチェックするための傾きセンサーの構成図  内臓した自由に動く鋼球がフリーエリアで静止しているようにパターを左右に振ってリズム感覚を養う
【図６】パターヘッド重量を調整するため着脱タイプの錘の構成図  板状の合金の厚みを変えて数種類の錘を用意する
【符号の説明】
【００１３】  １．  パターヘッド
２．  ヘッド上面のＴ字形
３．  Ｔ字形の中央に設けたライン
４．  シャフト
５．  パッティング面
６．  ライ角
７．  グリップ
８．  距離計測用目盛り
９．  ヘッド低面
１０．  傾きセンサー
１１．  ヘッドに装着するためのフック
１２．  傾きセンサーの透明円筒ケース
１３．  鋼球
１４．  ダンパー。鋼球の衝撃吸収
１５．  プラスチック製の栓。鋼球を円筒ケースに封印する
１６．  ヘッド重量調整用の錘
１７．  比重の大きい合金体。薄板状に成形
１８．  合金体に設けたスリット
１９．  錘ホルダー。パターヘッドに錘を装着する
２０．  バネ特性を持った爪。スリットに嵌め込み合金体と錘ホルダーを連結する
【図１】
0003123942.tif 000003
【図２】
0003123942.tif 000004
【図３】
0003123942.tif 000005
【図４】
0003123942.tif 000006
【図５】
0003123942.tif 000007
【図６】
0003123942.tif 000008